(57)【要約】  電力を出力する機能を有する電力出力装置（３０）から電力出力装置（３０）の属性情報を受信する属性情報受信部（１５）と、属性情報に応じて決定された出力条件を電力出力装置（３０）に送信する出力条件送信部（１８）と、電力出力装置（３０）が出力条件に従い電力を出力した際の出力波形データに対して所定の処理を行った処理結果を受信する処理結果受信部（１６）と、処理結果及び出力条件に基づき、電力出力装置（３０）の電力出力性能を評価する評価部（１７）と、を有するサーバ（１０）。
2017150139.tif 000002
【特許請求の範囲】
【請求項１】
電力を出力する機能を有する電力出力装置から前記電力出力装置の属性情報を受信する属性情報受信手段と、
前記属性情報に応じて決定された出力条件を前記電力出力装置に送信する出力条件送信手段と、
前記電力出力装置が前記出力条件に従い電力を出力した際の出力波形データに対して所定の処理を行った処理結果を受信する処理結果受信手段と、
前記処理結果及び前記出力条件に基づき、前記電力出力装置の電力出力性能を評価する評価手段と、
を有する制御装置。
【請求項２】
請求項１に記載の制御装置において、
前記出力条件では、有効電力、無効電力、電圧、周波数及び所定時間内における電力の変化量の中の少なくとも１つの項目の値が指定されている制御装置。
【請求項３】
請求項１又は２に記載の制御装置において、
前記出力波形データは交流波形データであり、
前記処理結果受信手段は、前記交流波形データから算出された有効電力、無効電力、電圧、周波数及び所定時間内における電力の変化量の中の少なくとも１つの測定値を受信する制御装置。
【請求項４】
請求項１に記載の制御装置において、
前記評価手段は、前記電力出力装置の電力出力性能に基づいて前記属性情報の真偽を判断する制御装置。
【請求項５】
請求項１から４のいずれか１項に記載の制御装置において、
前記出力条件ごとに、複数の項目各々に対応して出力の許容範囲が定められており、
前記評価手段は、前記出力波形データに基づき算出される前記項目の処理結果が前記許容範囲に入っている否かに基づき前記電力出力装置の電力出力性能を評価する制御装置。
【請求項６】
請求項４に記載の制御装置において、
前記出力条件ごとに、複数の項目各々に対応して出力の指定値が定められており、
前記評価手段は、前記処理結果が前記指定値とどの程度乖離しているかに基づいて信頼度を算出する制御装置。
【請求項７】
請求項６に記載の制御装置において、
前記評価手段は、前記処理結果が前記指定値とどの程度乖離しているかに基づく信頼度の算出を繰り返し行い、前記信頼度の変化に基づいて前記電力出力装置の故障及び劣化の少なくとも一方の判定を行う制御装置。
【請求項８】
請求項６又は７に記載の制御装置において、
前記処理結果と前記指定値に基づく評価結果を出力する出力手段を備える制御装置。
【請求項９】
請求項５に記載の制御装置において、
前記処理結果が前記許容範囲に含まれる前記電力出力装置の識別情報を送信する出力手段を備える制御装置。
【請求項１０】
請求項１に記載の制御装置において、
前記属性情報が真であると判断された前記電力出力装置に配電網に接続する許可を通知する制御装置。
【請求項１１】
請求項１から１０のいずれか１項に記載の制御装置を有するサーバ。
【請求項１２】
電力を出力する機能を有する電力出力装置から前記電力出力装置の属性情報を受信する属性情報受信手段と、
前記属性情報に応じて決定された出力条件を前記電力出力装置に送信する出力条件送信手段と、
前記電力出力装置が前記出力条件に従い電力を出力した際の出力波形データを受信する出力データ受信手段と、
前記出力条件に基づいて前記出力波形データに対して所定の処理を行った処理結果を送信する出力手段と、を有する端末装置。
【請求項１３】
請求項１２に記載の端末装置において、
前記出力条件では、有効電力、無効電力、電圧、周波数及び所定時間内における電力の変化量の中の少なくとも１つの項目の値が指定されている端末装置。
【請求項１４】
請求項１３に記載の端末装置において、
前記出力データ受信手段は、出力波形データとして交流波形データを受信し、
前記出力手段は、前記処理結果として有効電力、無効電力、電圧、周波数及び所定時間内における電力の変化量の中の少なくとも１つの項目の測定値を送信する端末装置。
【請求項１５】
請求項１３又は１４に記載の端末装置において、
前記出力条件ごとに、複数の項目各々に対応して出力の指定値が定められており、
前記処理結果が前記指定値とどの程度乖離しているかに基づいて信頼度を算出する評価手段を有する端末装置。
【請求項１６】
請求項１３又は１４に記載の端末装置において、
前記処理結果が許容範囲内に含まれる前記電力出力装置の識別情報の一覧の中に、前記属性情報に対応する識別情報が含まれているか判断する評価手段を有する端末装置。
【請求項１７】
請求項１６に記載の端末装置において、
前記出力手段は、前記属性情報に対応する前記識別情報が前記一覧に含まれている場合、前記電力出力装置に配電網に接続する許可を通知する端末装置。
【請求項１８】
請求項１５に記載の端末装置において、
前記出力手段は、前記信頼度に基づいて制御対象の前記電力出力装置における定格出力の合計や、容量の合計を送信する端末装置。
【請求項１９】
コンピュータが、
電力を出力する機能を有する電力出力装置から前記電力出力装置の属性情報を受信する属性情報受信工程と、
前記属性情報に応じて決定された出力条件を前記電力出力装置に送信する出力条件送信工程と、
前記電力出力装置が前記出力条件に従い電力を出力した際の出力波形データに対して所定の処理を行った処理結果を受信する処理結果受信工程と、
前記処理結果及び前記出力条件に基づき、前記電力出力装置の電力出力性能を評価する評価工程と、
を実行する評価方法。
【請求項２０】
コンピュータが、
電力を出力する機能を有する電力出力装置から前記電力出力装置の属性情報を受信する属性情報受信工程と、
前記属性情報に応じて決定された出力条件を前記電力出力装置に送信する出力条件送信工程と、
前記電力出力装置が前記出力条件に従い電力を出力した際の出力波形データを受信する出力データ受信工程と、
前記出力条件に基づいて前記出力波形データに対して所定の処理を行った処理結果を送信する出力工程と、
を実行する評価方法。
【請求項２１】
コンピュータを、
電力を出力する機能を有する電力出力装置から前記電力出力装置の属性情報を受信する属性情報受信手段、
前記属性情報に応じて決定された出力条件を前記電力出力装置に送信する出力条件送信手段、
前記電力出力装置が前記出力条件に従い電力を出力した際の出力波形データに対して所定の処理を行った処理結果を受信する処理結果受信手段、
前記処理結果及び前記出力条件に基づき、前記電力出力装置の電力出力性能を評価する評価手段、
として機能させるプログラム。
【請求項２２】
コンピュータを、
電力を出力する機能を有する電力出力装置から前記電力出力装置の属性情報を受信する属性情報受信手段、
前記属性情報に応じて決定された出力条件を前記電力出力装置に送信する出力条件送信手段、
前記電力出力装置が前記出力条件に従い電力を出力した際の出力波形データを受信する出力データ受信手段、
前記出力条件に基づいて前記出力波形データに対して所定の処理を行った処理結果を送信する出力手段、
として機能させるプログラム。
【発明の詳細な説明】
【技術分野】
【０００１】
本発明は、端末装置、制御装置、サーバ、評価方法及びプログラムに関する。
【背景技術】
【０００２】
需要家側にある各種電力出力装置（例：蓄電池、発電装置等）は、ＨＥＭＳ（Home Energy Management System）や分電盤等のデバイスを経由して配電網に接続されている。電力会社は、各種電力出力装置の製造元から、各装置の製造元名、型名、定格容量、定格電力等に関する情報の提供を受け、連系規定に準拠した審査を各装置に対して行う。そして、このような審査を経た後に各装置を配電網に接続し、各装置をデマンドレスポンス等のサービス運用に利用する。【０００３】
関連する技術が、特許文献１乃至３に開示されている。【０００４】
特許文献１には、測定された電気特性情報の履歴を二次電池ごとに記憶する測定情報記憶手段と、測定された二次電池の電気特性情報と、測定情報記憶手段に記憶された同一の二次電池に対する電気特性情報とを比較して、当該二次電池の状態を判定する電池状態判定手段とを備えたサーバが開示されている。【０００５】
電気特性は、二次電池に対して充電を行っている際の電流値や電圧値、電力量などであり、計測部により計測される。計測部は、電源部と二次電池との間で上記電気特性を測定する（特許文献１の図６等参照）。電源部は、交流電流を直流電流に変換し、変換した直流電流を用いて二次電池に給電する。【０００６】
特許文献２には、車載蓄電池が接続され、当該車載蓄電池に対して充電又は放電を行う充放電手段と、複数種別の車載蓄電池毎の識別情報と、該当種別の車載蓄電池の所定の特性を示す特性情報を対応付けて記憶する記憶手段と、充放電手段に接続された対象車載蓄電池の識別情報である対象識別情報を外部から取得する情報取得手段と、記憶手段に記憶されている特性情報のうち対象識別情報に対応付けられている対象特性情報に基づいて、充放電手段に対して充電制御又は放電制御を実行する充放電制御手段と、を備える充放電制御装置が開示されている。【０００７】
特許文献３には、ＰＵＦ（Physically Unclonable Function）デバイスと、該ＰＵＦデバイスの動作を解析してチャレンジ入力からレスポンス出力を計算するのに必要なＰＵＦパラメータの抽出とそのときのＰＵＦデバイスの電力波形あるいは電磁波系あるいは処理時間を観測して動作状態を特徴づける動作パラメータの抽出を行い、抽出した各パラメータに基づき該ＰＵＦデバイスの認証を行うＰＵＦリーダーとを備える発明が開示されている。ＰＵＦリーダーは動作パラメータに基づき、ＰＵＦデバイスのレスポンス生成中の動作を監視して正当なＰＵＦデバイスであるかどうかの真贋判定を行う。
【先行技術文献】
【特許文献】
【０００８】
【特許文献１】ＷＯ２０１１／１３５８１３
【特許文献２】特開２０１２−２５３９７６号公報
【特許文献３】特開２０１１−１９８３１７号公報
【発明の概要】
【発明が解決しようとする課題】
【０００９】
今後、配電網に接続する電力出力装置が急増すると、全ての電力出力装置に対して上述のような審査（連系規定に準拠した審査等）を行うことが物理的に困難になると予想される。当該審査を経ずに配電網に接続可能となると、品質が劣悪である電力出力装置までも配電網に接続可能となる。【００１０】
このような電力出力装置は、例えば、電力会社からの放電指示に従い所定値の出力動作を行っても、実際の出力が所定値を下回る場合がある。このような状況が発生すると、デマンドレスポンス等のサービスの運用が困難になり得る。【００１１】
特許文献１に記載の技術は、直流波形を対象に観測することで電気特性を計測し、電池セルや電池モジュールの性能を評価している。しかし、特許文献１に記載の技術は、電池システムの出力性能、すなわちパワーコンディショナーの性能評価や、パワーコンディショナーを含む電池システム全体での性能評価を行うことができない。特許文献２及び３に記載の技術も、上記問題を解決する手段を開示していない。【００１２】
本発明は、上記問題を解決する手段を提供することを課題とする。
【課題を解決するための手段】
【００１３】
本発明によれば、
電力を出力する機能を有する電力出力装置から前記電力出力装置の属性情報を受信する属性情報受信手段と、
前記属性情報に応じて決定された出力条件を前記電力出力装置に送信する出力条件送信手段と、
前記電力出力装置が前記出力条件に従い電力を出力した際の出力波形データに対して所定の処理を行った処理結果を受信する処理結果受信手段と、
前記処理結果及び前記出力条件に基づき、前記電力出力装置の電力出力性能を評価する評価手段と、
を有する制御装置が提供される。【００１４】
また、本発明によれば、前記制御装置を有するサーバが提供される。サーバは、例えばクラウドなどにおけるサーバ（いわゆるクラウドサーバ）であってもよい。【００１５】
また、本発明によれば、
電力を出力する機能を有する電力出力装置から前記電力出力装置の属性情報を受信する属性情報受信手段と、
前記属性情報に応じて決定された出力条件を前記電力出力装置に送信する出力条件送信手段と、
前記電力出力装置が前記出力条件に従い電力を出力した際の出力波形データを受信する出力データ受信手段と、
前記出力条件に基づいて前記出力波形データに対して所定の処理を行った処理結果を送信する出力手段と、を有する端末装置が提供される。【００１６】
また、本発明によれば、
コンピュータが、
電力を出力する機能を有する電力出力装置から前記電力出力装置の属性情報を受信する属性情報受信工程と、
前記属性情報に応じて決定された出力条件を前記電力出力装置に送信する出力条件送信工程と、
前記電力出力装置が前記出力条件に従い電力を出力した際の出力波形データに対して所定の処理を行った処理結果を受信する処理結果受信工程と、
前記処理結果及び前記出力条件に基づき、前記電力出力装置の電力出力性能を評価する評価工程と、
を実行する評価方法が提供される。【００１７】
また、本発明によれば、
コンピュータが、
電力を出力する機能を有する電力出力装置から前記電力出力装置の属性情報を受信する属性情報受信工程と、
前記属性情報に応じて決定された出力条件を前記電力出力装置に送信する出力条件送信工程と、
前記電力出力装置が前記出力条件に従い電力を出力した際の出力波形データを受信する出力データ受信工程と、
前記出力条件に基づいて前記出力波形データに対して所定の処理を行った処理結果を送信する出力工程と、
を実行する評価方法が提供される。【００１８】
また、本発明によれば、
コンピュータを、
電力を出力する機能を有する電力出力装置から前記電力出力装置の属性情報を受信する属性情報受信手段、
前記属性情報に応じて決定された出力条件を前記電力出力装置に送信する出力条件送信手段、
前記電力出力装置が前記出力条件に従い電力を出力した際の出力波形データに対して所定の処理を行った処理結果を受信する処理結果受信手段、
前記処理結果及び前記出力条件に基づき、前記電力出力装置の電力出力性能を評価する評価手段、
として機能させるプログラムが提供される。【００１９】
また、本発明によれば、
コンピュータを、
電力を出力する機能を有する電力出力装置から前記電力出力装置の属性情報を受信する属性情報受信手段、
前記属性情報に応じて決定された出力条件を前記電力出力装置に送信する出力条件送信手段、
前記電力出力装置が前記出力条件に従い電力を出力した際の出力波形データを受信する出力データ受信手段、
前記出力条件に基づいて前記出力波形データに対して所定の処理を行った処理結果を送信する出力手段、
として機能させるプログラムが提供される。
【発明の効果】
【００２０】
本発明によれば、配電網に接続される電力出力装置の出力性能を評価する技術が実現される。
【図面の簡単な説明】
【００２１】
上述した目的、およびその他の目的、特徴および利点は、以下に述べる好適な実施の形態、およびそれに付随する以下の図面によってさらに明らかになる。【００２２】
【図１】本実施形態の装置のハードウエア構成の一例を概念的に示す図である。
【図２】本実施形態の管理システムの全体像を説明するための図である。
【図３】本実施形態の管理システムの機能ブロック図の一例である。
【図４】本実施形態のサーバが管理する情報の一例を模式的に示す図である。
【図５】本実施形態のサーバが管理する情報の一例を模式的に示す図である。
【図６】本実施形態のサーバが管理する情報の一例を模式的に示す図である。
【図７】本実施形態の管理システムの処理の流れの一例を示すシーケンス図である。
【図８】本実施形態の管理システムの機能ブロック図の一例である。
【図９】本実施形態の管理システムの処理の流れの一例を示すシーケンス図である。
【図１０】本実施形態の管理システムの処理の流れの一例を示すシーケンス図である。
【図１１】本実施形態の管理システムの処理の流れの一例を示すシーケンス図である。
【発明を実施するための形態】
【００２３】
まず、本実施形態の装置（端末装置、サーバ）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２４】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路には、様々なモジュールが含まれる。
【００２５】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、外部装置、外部サーバ、外部センサー等から情報を取得するためのインターフェイスなどを含む。プロセッサ１Ａは、各モジュールに指令を出し、それらの演算結果をもとに演算を行う。
【００２６】
なお、本明細書において、「受信」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な受信）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００２７】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２８】
＜第１の実施形態＞
まず、図２を用いて、本実施形態の管理システムの全体像を説明する。図示するように、管理システムは、サーバ（制御装置）１０と、端末装置２０と、電力出力装置３０とを有する。図示するように、サーバ１０及び端末装置２０はインターネット等のネットワーク４０に繋がっており、互いに情報の送受信が可能となっている。また、端末装置２０及び電力出力装置３０間は、有線及び／又は無線で接続し、任意の通信規格で情報の送受信が可能となっている。
【００２９】
電力出力装置３０は、電力を出力し、配電網に電力を供給する機能を有する。電力出力装置３０は、配電網から電力の供給を受け、エネルギーを蓄積する機能を有してもよい。電力出力装置３０は、例えば、蓄電池や発電装置（例：自然エネルギーを用いて発電する発電装置）等が該当するが、これらに限定されない。各電力出力装置３０は、例えば電力発電事業者や一般ユーザに管理される。
【００３０】
端末装置２０は、電力出力装置３０の動作を制御したり、電力出力装置３０から情報を収集してサーバ１０に送信したりする機能を有する。図示するように、１つの電力出力装置３０に対応して１つの端末装置２０が設置されてもよいし、複数の電力出力装置３０に対応して１つの端末装置２０が設置されてもよい。また、端末装置２０及び電力出力装置３０は物理的に一体となって構成されてもよいし、分かれて構成されてもよい。
【００３１】
サーバ１０は、電力会社により管理される。サーバ１０は、端末装置２０を介して電力出力装置３０の動作を制御し、デマンドレスポンス等のサービスを実行することができる。例えば、サーバ１０は、端末装置２０に対して所定電力の出力要請（配電網への電力供給要請）を行う。端末装置２０は、配下の電力出力装置３０を制御し、当該出力要請に応じた出力を行わせる。
【００３２】
本実施形態の管理システムは、電力出力装置３０の電力出力性能を評価する手段を有する。サーバ１０及び端末装置２０は、当該評価結果に基づき各電力出力装置３０の動作を制御することで、サーバ１０からの出力要請に準じた出力を実現できるようになる。以下、各装置の構成を詳細に説明する。
【００３３】
図３に、本実施形態の管理システムの機能ブロック図の一例を示す。図示するように、端末装置２０は、入力部２１と、演算部２２と、出力部２３と、記憶部２４とを有する。入力部２１は、データの入力を受付ける。演算部２２は、所定の演算処理を行う。出力部２３は、データを出力する。記憶部２４は、データを記憶する。端末装置２０の各部が行う具体的な処理は、以下のサーバ１０の構成の説明時に適宜行う。
【００３４】
サーバ１０は、入力部１１と、演算部１２と、出力部１３と、記憶部１４とを有する。入力部１１は、データの入力を受付ける。演算部１２は、所定の演算処理を行う。出力部１３は、データを出力する。記憶部１４は、データを記憶する。入力部１１は、属性情報受信部１５と、処理結果受信部１６とを有する。演算部１２は、評価部１７を有する。出力部１３は、出力条件送信部１８を有する。
【００３５】
属性情報受信部１５は、電力出力装置３０から自装置（当該電力出力装置３０）の属性情報を受信する。属性情報受信部１５は、端末装置２０を介して、電力出力装置３０から属性情報を受信する。属性情報は、例えば、製造元（製造メーカ）、型名、製造年月日等を含む。予め、各電力出力装置３０にこのような属性情報が登録されている。そして、電力出力装置３０は、所定のタイミングで、端末装置２０に属性情報を送信する。端末装置２０は、電力出力装置３０から属性情報を受信すると（入力部２１）、受信した属性情報をサーバ１０に送信する（出力部２３）。
【００３６】
例えば、電力出力装置３０を配電網に新たに接続する際、そのための準備として、電力出力装置３０と任意の端末装置２０とを互いに通信可能にする。また、当該電力出力装置３０を当該端末装置２０の制御対象として設定する。このような準備により、端末装置２０は、当該電力出力装置３０の動作を制御可能となる。制御される動作は、電力出力装置３０が備えるパワーコンディショナーから配電網への電力出力や、配電網から上記パワーコンディショナーへの電力取込等である。
【００３７】
電力出力装置３０から端末装置２０に属性情報を送信するタイミングは設計的事項である。例えば、上記制御対象としての設定が完了した後、任意のタイミングで、電力出力装置３０は端末装置２０に属性情報を送信してもよい。例えば、オペレータによる端末装置２０や電力出力装置３０への所定の操作に応じて、電力出力装置３０は端末装置２０に自装置の属性情報を送信してもよい。その他、上記制御対象としての設定の完了に応じ、その後の所定のタイミングで、端末装置２０が電力出力装置３０に属性情報を要求してもよい。そして、電力出力装置３０は当該要求に応じて端末装置２０に自装置の属性情報を送信してもよい。
【００３８】
属性情報の送信は、電力出力装置３０を配電網に新たに接続する際に限定されない。例えば、配電網に接続された後、定期的に（例：１年に１回、３カ月に１回等）、予め定められた所定のタイミングで、電力出力装置３０は端末装置２０に自装置の属性情報を送信してもよい。
【００３９】
出力条件送信部１８は、属性情報受信部１５が受信した属性情報に応じて決定された出力条件を、端末装置２０を介して電力出力装置３０に送信する。
【００４０】
出力条件では、例えば、有効電力、無効電力、電圧、周波数及び所定時間内における電力の変化量（ランプ）の中の少なくとも１つの項目の値（指定値）が指定されている。詳細は以下で説明するが、電力出力装置３０は、当該出力条件に従い、電力の出力動作（テスト動作）を行う。そして、当該出力条件と、当該出力条件に従った電力出力装置３０の出力結果とに基づき、電力出力装置３０の出力性能が評価される。
【００４１】
本実施形態では、記憶部１４が、複数の出力条件を予め保持している。そして、演算部１２は、端末装置２０から送信されてきた属性情報をキーとして記憶部１４を検索し、記憶部１４に予め保持されている複数の出力条件の中から、受信した属性情報に対応する出力条件を取り出す。出力条件送信部１８は、このようにして演算部１２により取り出された出力条件を、端末装置２０を介して電力出力装置３０に送信する。
【００４２】
ここで、図４及び図５に、記憶部１４が記憶する情報の一例を模式的に示す。図４は、複数の出力条件の詳細が登録された出力条件情報である。出力条件ＩＤ（identifier）に対応付けて、有効電力、無効電力、電圧、周波数及びランプ各々の値（指定値）が対応付けられている。
【００４３】
図５は、電力出力装置３０の型名と、各々に適用される出力条件のＩＤとを互いに対応付けた情報である。なお、１つの出力条件は１つの電力出力装置３０のみに適用されてもよいし、複数の電力出力装置３０に適用されてもよい。出力条件は、例えば、電力出力装置３０のパワーコンディショナーの能力に応じたものとすることができる。かかる場合、同じ又は同等の能力のパワーコンディショナーを備える複数の電力出力装置３０に対して、同じ出力条件が適用されることとなる。
【００４４】
図３に戻り、処理結果受信部１６は、電力出力装置３０が出力条件に従い電力を出力した際の出力波形データに対して所定の処理を行った処理結果を受信する。処理結果受信部１６は、端末装置２０から処理結果を受信する。
【００４５】
出力条件を受信した電力出力装置３０は、出力条件に従った電力の出力動作（テスト動作）を行う。すなわち、電力出力装置３０は、出力条件で定められている１つ又は複数の項目各々の指定値で電力を出力するよう、出力動作を行う。
【００４６】
すると、端末装置２０は、電力出力装置３０が出力条件に従い電力を出力した際の出力波形データを受信する（入力部２１）。具体的には、端末装置２０は、電力出力装置３０のパワーコンディショナーから出力された交流波形データ（例：電流波形データ）を受信する。例えば、端末装置２０は、当該交流波形データを測定可能な任意の位置に設置された測定センサーから、上記交流波形データを受信する。なお、端末装置２０と電力出力装置３０が接続するパワーコンディショナーとは同じ電力線に接続されている。このため、端末装置２０はパワーコンディショナーから出力される出力波形（交流波形データ）を受信してもよい。
【００４７】
その後、端末装置２０は、受信した交流波形データに対して所定の演算処理を行う（演算部２２）。この演算処理の結果、有効電力、無効電力、電圧、周波数、ランプ等の値（測定値）が得られる。端末装置２０は、これらの値を処理結果として、サーバ１０に送信する（出力部２３）。
【００４８】
評価部１７は、処理結果及び出力条件に基づき、電力出力装置３０の電力出力性能を評価する。評価部１７は、電力出力装置３０に所定の項目の指定値に対する応答性能を評価する。すなわち、指定値通りに出力できるか否か、指定値からどの程度乖離するかの目安等を評価する。以下、評価方法の一例を説明する。
【００４９】
例えば、サーバ１０は、出力条件ごとに、正常な（劣化、故障などしていない）電力出力装置３０が出力条件に従い電力の出力動作を行った場合、各項目の値（測定値）がどの程度の範囲に収まるかを示した参照情報を保持しておいてもよい（記憶部１４）。図６に参照情報の一例を模式的に示す。図では、１つの出力条件に対応付けて、その出力条件を適用される１つまたは複数の電力出力装置３０各々の出力結果の許容範囲が定義されている。図６に示すような参照情報が、出力条件ごとに用意される。
【００５０】
評価部１７は、処理結果で示される各項目の測定値が、出力条件及び電力出力装置３０に対応した許容範囲内に含まれているか確認する（図６参照）。含まれている場合、評価部１７は、その電力出力装置３０は指定値通りに出力できると評価する。一方、含まれていない場合、評価部１７は、その電力出力装置３０は指定値通りに出力できないと評価する。
【００５１】
ここでの含まれている場合とは、複数の項目全ての測定値が許容範囲内に含まれる場合や、複数の項目の中の所定数以上又は所定割合以上の測定値が許容範囲内に含まれる場合等と定義できる。
【００５２】
指定値通りに出力できないと評価した場合、評価部１７は、指定値からどの程度乖離するかの目安を算出してもよい。例えば、評価部１７は、項目ごとに、信頼度（＝（測定値）／（指定値））を算出してもよい。そして、評価部１７は、複数の項目ごとに算出した信頼度の統計値（例：平均値、最大値、最小値、最頻値、中央値等）を、その電力出力装置３０の評価値としてもよい。例えば、有効電力、無効電力、電圧及びランプの中の少なくとも２つの項目の信頼度の統計値を、評価値としてもよい。これは、電力出力装置３０に指定値を与えた場合、出力は、指定値と評価値との積程度まで、指定値から乖離する（値が低下する）可能性があることを示す。
【００５３】
出力部１３は、評価部１７による評価結果を端末装置２０に送信する。これにより、端末装置２０は、制御対象の電力出力装置３０の出力性能を知ることができる。記憶部２４は、制御対象の電力出力装置３０の出力性能を記憶することができる。端末装置２０は、サーバ１０から受信した評価結果を電力出力装置３０に送信してもよい。
【００５４】
なお、電力出力装置３０が、配電網に接続された後、定期的に（例：１年に１回、３カ月に１回等）、予め定められた所定のタイミングで、自装置の属性情報を送信する場合、サーバ１０は、属性情報の受信に応じて、定期的に、電力出力装置３０の電力出力性能を評価してもよい。これにより、経年劣化による電力出力性能の低下や、故障などの何らかのトラブルによる出力性能の低下を、サーバ１０や端末装置２０で検知することが可能となる。
【００５５】
配電網に接続後も繰り返し電力出力性能の評価が行なわれる例の場合、記憶部１４は、各電力出力装置３０の過去の評価結果を、評価タイミングと対応付けて蓄積してもよい。そして、評価部１７は、過去の評価結果を利用して、電力出力装置３０の電力出力性能を評価してもよい。
【００５６】
例えば、任意のタイミング（例：一番最初の評価タイミング）からの経過時間と、そのタイミングでの評価結果（信頼度）とを対応付けた教師データを用いて機械学習を行い、任意のタイミングでの評価結果の予測モデルを生成してもよい。そして、評価部１７は、当該予測モデルを用いて、次回の評価タイミングでの評価結果を推定してもよい。その後、評価部１７は、推定した次回の評価タイミングの評価結果と、今回新たに受信された処理結果に基づく評価結果とに基づき、電力出力装置３０の今回の評価結果を算出してもよい。例えば、これら２つの評価結果の平均値を評価結果としてもよい。
【００５７】
次に、図７のシーケンス図を用いて、本実施形態の管理システムの処理の流れの一例を説明する。
【００５８】
まず、電力出力装置３０は、任意のタイミングで、自装置の属性情報を所定の端末装置２０に送信する（Ｓ１０１）。端末装置２０は、受信した属性情報をサーバ１０に送信する（Ｓ１０２）。
【００５９】
サーバ１０は、属性情報を受信すると、属性情報の内容に基づき、所定の出力条件を決定する（Ｓ１０３）。例えば、図４及び図５に示す情報に基づき、受信した属性情報に含まれる電力出力装置３０の型名に対応した出力条件を決定する。出力条件では、有効電力、無効電力、電圧、周波数及びランプの中の少なくとも１つの項目の値が指定されている。
【００６０】
その後、サーバ１０は、決定した出力条件を端末装置２０に送信する（Ｓ１０４）。すると、端末装置２０は、受信した出力条件を電力出力装置３０に送信する（Ｓ１０５）。
【００６１】
その後、電力出力装置３０は、受信した出力条件に従い、電力の出力動作（テスト動作）を行う（Ｓ１０６）。端末装置２０は、Ｓ１０６の電力のテスト動作の出力を測定し、出力波形データ（交流波形データ）を得る（Ｓ１０７）。次いで、端末装置２０は、受信した出力波形データに対して所定の処理を行い、所定項目の値を算出する（Ｓ１０８）。ここでは、有効電力、無効電力、電圧、周波数及びランプの中の少なくとも１つの項目の測定値が算出される。
【００６２】
その後、端末装置２０は、算出した値を処理結果として、サーバ１０に送信する（Ｓ１０９）。サーバ１０は、受信した処理結果に基づき、電力出力装置３０の電力出力性能を評価する（Ｓ１１０）。例えば、指定値通りに出力できるか否か、指定値からどの程度乖離するかの目安等を評価する。サーバ１０は、評価結果を、電力出力装置３０に対応付けて記憶してもよい（記憶部１４）。
【００６３】
その後、サーバ１０は、評価結果（電力出力性能）を端末装置２０に送信する（Ｓ１１１）。端末装置２０は、評価結果を、電力出力装置３０に対応付けて記憶することができる（記憶部２４）。
【００６４】
また、図示しないが、評価結果を受信した後、端末装置２０は、制御対象の１つ又は複数の電力出力装置３０全体での電力出力性能を算出し、サーバ１０に報告してもよい。これは、端末装置２０で処理できる電力出力性能と考えることができる。この場合、サーバ１０は、各端末装置２０に対応付けて、受信した情報を記憶する（記憶部１４）。
【００６５】
例えば、端末装置２０は、制御対象の１つ又は複数の電力出力装置３０の定格出力（Ｗ）の合計や、容量の合計等を算出し、サーバ１０に報告してもよい。なお、定格出力（Ｗ）の合計は、「指定値通りに出力できると評価された電力出力装置３０の定格出力（Ｗ）」と、「指定値通りに出力できないと評価された電力出力装置３０の定格出力（Ｗ）に信頼度（＝（測定値）／（指定値））を掛けた値」との合計として求めてもよい。
【００６６】
サーバ１０は、各端末装置２０に対応付けて、上記定格出力（Ｗ）の合計や容量の合計等を管理する。そして、当該情報に基づき、サーバ１０は、デマンドレスポンス等の所定のサービスを提供する。例えば、サーバ１０は、ある端末装置２０に対して、所定電力（Ｗ）での出力（配電網への電力供給）を要請する。この時、サーバ１０は、定格出力（Ｗ）の合計を超えないように要請する。
【００６７】
上記要請を受信した端末装置２０は、制御対象の電力出力装置３０を制御し、所定電力（Ｗ）で出力させる。この時、端末装置２０は、上記信頼度に基づき、各電力出力装置３０に通知する出力電力（Ｗ）を決定する。
【００６８】
例えば、１００Ｗで出力させる場合を考える。指定値通りに出力できると評価された電力出力装置３０に出力させる場合、端末装置２０は「１００Ｗ」をそのまま通知し、当該電力で出力するよう制御する。
【００６９】
一方、指定値通りに出力できないと評価された電力出力装置３０に出力させる場合、端末装置２０は「１００Ｗ」をそのまま通知するのでなく、当該値を信頼度で補正した値を通知する。例えば、端末装置２０は、１００Ｗに信頼度の逆数を掛けた値を通知し、その電力を出力するよう制御する。なお、ここでは出力値（Ｗ）を指定して出力を要請する場合を例に説明したが、ランプ等のその他の項目を指定した出力の要請の場合も、同様の処理を行うことができる。
【００７０】
以上説明した本実施形態によれば、サーバ１０及び端末装置２０は、配電網に接続されている電力出力装置３０の電力出力性能を評価し、把握することができる。この評価結果に基づき、当該電力出力装置３０を用いたデマンドレスポンスなどのサービスを行うことで、当該サービスの品質を保つことができる。
【００７１】
＜第２の実施形態＞
本実施形態の管理システムは、電力出力装置３０の電力出力性能の評価の一部を、端末装置２０で行う点で、第１の実施形態と異なる。本実施形態の管理システムの全体像は、第１の実施形態と同様である。
【００７２】
図８に、本実施形態の管理システムの機能ブロック図の一例を示す。図示するように、サーバ１０は、入力部１１と、演算部１２と、出力部１３と、記憶部１４とを有する。入力部１１は、データの入力を受付ける。演算部１２は、所定の演算処理を行う。出力部１３は、データを出力する。記憶部１４は、データを記憶する。サーバ１０の各部が行う具体的な処理は、以下の端末装置２０の構成の説明時に適宜行う。
【００７３】
端末装置２０は、入力部２１と、演算部２２と、出力部２３と、記憶部２４とを有する。入力部２１は、データの入力を受付ける。演算部２２は、所定の演算処理を行う。出力部２３は、データを出力する。記憶部２４は、データを記憶する。入力部２１は、属性情報受信部２５と、出力データ受信部２６とを有する。演算部２２は、評価部２７を有する。出力部２３は、出力条件送信部２８を有する。
【００７４】
属性情報受信部２５は、電力出力装置３０から自装置（該電力出力装置３０）の属性情報を受信する。端末装置２０が電力出力装置３０から属性情報を受信する構成は、第１の実施形態と同様である。
【００７５】
端末装置２０は、電力出力装置３０から受信した属性情報を、サーバ１０に送信する。すると、サーバ１０は、属性情報に応じた出力条件を決定し、端末装置２０に送信する。そして、端末装置２０は、サーバ１０から送信されてきた出力条件を受信する。これらの処理は、第１の実施形態と同様である。
【００７６】
出力条件送信部２８は、属性情報受信部２５が受信した属性情報に応じて決定された出力条件を、当該属性情報を送信してきた電力出力装置３０に送信する。
【００７７】
出力データ受信部２６は、電力出力装置３０が出力条件に従った電力の出力動作（テスト動作）を行った際の出力波形データを受信する。具体的には、出力データ受信部２６は、電力出力装置３０のパワーコンディショナーから出力された交流波形データを受信する。例えば、出力データ受信部２６は、当該交流波形データを測定可能な任意の位置に設置された測定センサーから、上記波形データを受信する。
【００７８】
評価部２７は、出力データ受信部２６が受信した出力波形データ、及び、出力条件に基づき、電力出力装置３０の電力出力性能を評価する。
【００７９】
まず、評価部２７は、出力波形データに対して所定の処理を行い、有効電力、無効電力、電圧、周波数、ランプ等の値（測定値）を算出する。すると、出力部２３は、これらの値を処理結果として、サーバ１０に送信する。
【００８０】
サーバ１０の演算部１２は、処理結果及び出力条件に基づき、電力出力装置３０が指定値通りに出力できるか否かを評価する。当該評価方法の一例は、第１の実施形態で説明した通りである。
【００８１】
そして、サーバ１０の出力部１３は、その評価結果を端末装置２０に送信する。サーバ１０から受信した評価結果が、その電力出力装置３０は指定値通りに出力できるという評価結果である場合、評価部２７は、処理を終了する。
【００８２】
一方、サーバ１０から受信した評価結果が、その電力出力装置３０は指定値通りに出力できないという評価結果である場合、評価部２７は、指定値からどの程度乖離するかの目安等を評価する。当該評価方法の一例は、第１の実施形態で説明した通りである。
【００８３】
次に、図９のシーケンス図を用いて、本実施形態の管理システムの処理の流れの一例を説明する。
【００８４】
まず、電力出力装置３０は、任意のタイミングで、自装置の属性情報を所定の端末装置２０に送信する（Ｓ２０１）。端末装置２０は、受信した属性情報をサーバ１０に送信する（Ｓ２０２）。
【００８５】
サーバ１０は、属性情報を受信すると、属性情報の内容に基づき、所定の出力条件を決定する（Ｓ２０３）。例えば、図４及び図５に示す情報に基づき、受信した属性情報に含まれる電力出力装置３０の型名に対応した出力条件を決定する。出力条件では、有効電力、無効電力、電圧、周波数及びランプの中の少なくとも１つの項目の値が指定されている。
【００８６】
その後、サーバ１０は、決定した出力条件を端末装置２０に送信する（Ｓ２０４）。すると、端末装置２０は、受信した出力条件を電力出力装置３０に送信する（Ｓ２０５）。
【００８７】
その後、電力出力装置３０は、受信した出力条件に従い、電力出力動作を行う（Ｓ２０６）。端末装置２０は、Ｓ２０６の電力出力動作時の出力を測定し、出力波形データ（交流波形データ）を得る（Ｓ２０７）。次いで、端末装置２０は、受信した出力波形データに対して所定の処理を行い、所定項目の値を算出する（Ｓ２０８）。ここでは、有効電力、無効電力、電圧、周波数及びランプの中の少なくとも１つの項目の測定値が算出される。
【００８８】
その後、端末装置２０は、算出した値を処理結果として、サーバ１０に送信する（Ｓ２０９）。サーバ１０は、受信した処理結果に基づき、電力出力装置３０の第１の電力出力性能を評価する（Ｓ１１０）。ここでは、指定値通りに出力できるか否かを評価する。例えば、サーバ１０は、出力条件ごとに、正常な（劣化、故障などしていない）電力出力装置３０が出力条件に従い電力の出力動作を行った場合、各項目の値（測定値）がどの程度の範囲に収まるかを示した参照情報（図６参照）を用い、処理結果で示される各項目の測定値が、出力条件及び電力出力装置３０に対応した許容範囲内に含まれているか確認する。含まれている場合、サーバ１０は、その電力出力装置３０は指定値通りに出力できると評価する。一方、含まれていない場合、サーバ１０は、その電力出力装置３０は指定値通りに出力できないと評価する。「含まれている場合」の定義は、上述の通りである。サーバ１０は、評価結果を、電力出力装置３０に対応付けて記憶してもよい（記憶部１４）。
【００８９】
その後、サーバ１０は、評価結果（第１の電力出力性能）を端末装置２０に送信する（Ｓ１１０）。端末装置２０は、評価結果（第１の電力出力性能）を、電力出力装置３０に対応付けて記憶してもよい（記憶部２４）。
【００９０】
その後、端末装置２０は、必要に応じて、処理結果及び出力条件に基づき、第２の電力出力性能を評価する。すなわち、Ｓ２１１で受信する評価結果（第１の電力出力性能）が、その電力出力装置３０は指定値通りに出力できないというものである場合、端末装置２０は、指定値からどの程度乖離するかの目安（第２の電力出力性能）を評価する。例えば、端末装置２０は、項目ごとに、信頼度（＝（測定値）／（指定値））を算出してもよい。そして、端末装置２０は、複数の項目ごとに算出した信頼度の統計値（例：平均値、最大値、最小値、最頻値、中央値等）を、その電力出力装置３０の評価値（第２の電力出力性能）として算出してもよい。
【００９１】
一方、Ｓ２１１で受信する評価結果（第１の電力出力性能）が、その電力出力装置３０は指定値通りに出力できるというものである場合、端末装置２０は、第２の電力出力性能を評価しない。
【００９２】
なお、図示しないが、端末装置２０は、第２の電力出力性能を、サーバ１０及び電力出力装置３０の少なくとも一方に送信してもよい。
【００９３】
また、図示しないが、端末装置２０は、Ｓ２１１又はＳ２１２の後に、制御対象の１つ又は複数の電力出力装置３０全体での出力性能を算出し、サーバ１０に報告してもよい。
【００９４】
その後のサーバ１０からの電力出力要請や、電力出力要請に応じた端末装置２０の処理（電力出力装置３０の制御）は、第１の実施形態で説明した通りである。
【００９５】
以上、説明した本実施形態によれば、第１の実施形態と同様な作用効果を実現できる。また、本実施形態によれば、サーバ１０と端末装置２０とで、電力出力装置３０の電力出力性能の評価を分担する。このため、サーバ１０に負荷が集中する不都合を軽減できる。
【００９６】
＜第３の実施形態＞
第１及び第２の実施形態では、出力条件及び出力波形データに基づき、電力出力装置３０の電力出力性能を評価した。これに対し、本実施形態では、出力条件及び出力波形データに基づき、電力出力装置３０の申告内容（属性情報）の真偽を判断する。そして、真である場合、その電力出力装置３０を配電網に接続することを許可する。一方、偽である場合、その電力出力装置３０を配電網に接続することを許可しない。以下、説明する。
【００９７】
本実施形態の管理システムの全体像は、第１及び第２の実施形態と同様である。
【００９８】
図３に、本実施形態の管理システムの機能ブロック図の一例を示す。図示するように、端末装置２０は、入力部２１と、演算部２２と、出力部２３と、記憶部２４とを有する。入力部２１は、データの入力を受付ける。演算部２２は、所定の演算処理を行う。出力部２３は、データを出力する。記憶部２４は、データを記憶する。端末装置２０の各部が行う具体的な処理は、以下のサーバ１０の構成の説明時に適宜行う。
【００９９】
サーバ１０は、入力部１１と、演算部１２と、出力部１３と、記憶部１４とを有する。入力部１１は、データの入力を受付ける。演算部１２は、所定の演算処理を行う。出力部１３は、データを出力する。記憶部１４は、データを記憶する。入力部１１は、属性情報受信部１５と、処理結果受信部１６とを有する。演算部１２は、評価部１７を有する。出力部１３は、出力条件送信部１８を有する。
【０１００】
属性情報受信部１５、処理結果受信部１６及び出力条件送信部１８の構成は、第１の実施形態と同様である。
【０１０１】
評価部１７は、処理結果受信部１６が受信した処理結果、及び、出力条件送信部１８が送信した出力条件に基づき、属性情報受信部１５が受信した属性情報の真偽を判断する。評価部１７は、図６に示すような参照情報を用いて、当該判断を行う。
【０１０２】
評価部１７は、処理結果で示される各項目の測定値が、出力条件及び電力出力装置３０に対応した許容範囲内に含まれているか確認する。含まれている場合、評価部１７は、属性情報受信部１５が受信した属性情報（電力出力装置３０が申告した自装置の属性情報）は真であると判断する。一方、含まれていない場合、評価部１７は、属性情報受信部１５が受信した属性情報（電力出力装置３０が申告した自装置の属性情報）は偽であると判断する。
【０１０３】
ここでの含まれている場合とは、複数の項目全ての測定値が許容範囲内に含まれる場合や、複数の項目の中の所定数以上又は所定割合以上の測定値が許容範囲内に含まれる場合等が考えられる。
【０１０４】
属性情報が真である場合、出力部１３は、配電網に接続することを許可する通知を、端末装置２０を介して電力出力装置３０に行う。一方、属性情報が偽である場合、出力部１３は、配電網に接続することを許可しない通知を、端末装置２０を介して電力出力装置３０に行う。
【０１０５】
なお、評価部１７は、第１及び第２の実施形態で説明した第１の電力出力性能に基づいて真偽を判断してもよい。
【０１０６】
次に、図１０のシーケンス図を用いて、本実施形態の管理システムの処理の流れの一例を説明する。
【０１０７】
まず、電力出力装置３０は、任意のタイミングで、自装置の属性情報を所定の端末装置２０に送信する（Ｓ３０１）。端末装置２０は、受信した属性情報をサーバ１０に送信する（Ｓ３０２）。
【０１０８】
サーバ１０は、属性情報を受信すると、属性情報の内容に基づき、所定の出力条件を決定する（Ｓ３０３）。例えば、図４及び図５に示す情報に基づき、受信した属性情報に含まれる電力出力装置３０の型名に対応した出力条件を決定する。出力条件では、有効電力、無効電力、電圧、周波数及びランプの中の少なくとも１つの項目の値が指定されている。
【０１０９】
その後、サーバ１０は、決定した出力条件を端末装置２０に送信する（Ｓ３０４）。すると、端末装置２０は、受信した出力条件を電力出力装置３０に送信する（Ｓ３０５）。
【０１１０】
その後、電力出力装置３０は、受信した出力条件に従い、電力出力動作を行う（Ｓ３０６）。端末装置２０は、Ｓ３０６の電力出力動作時の出力を測定し、出力波形データ（交流波形データ）を得る（Ｓ３０７）。次いで、端末装置２０は、受信した出力波形データに対して所定の処理を行い、所定項目の値を算出する（Ｓ３０８）。ここでは、有効電力、無効電力、電圧、周波数及びランプの中の少なくとも１つの項目の測定値が算出される。
【０１１１】
その後、端末装置２０は、算出した値を処理結果として、サーバ１０に送信する（Ｓ３０９）。
【０１１２】
サーバ１０は、受信した処理結果に基づき、電力出力装置３０が送信してきた属性情報の真偽を判断する（Ｓ３１０）。
【０１１３】
Ｓ３１０で属性情報が真であると判断された場合、サーバ１０は、その電力出力装置３０を配電網に接続することを許可する通知を、端末装置２０に送信する（Ｓ３１１）。一方、Ｓ３１０で属性情報が偽であると判断された場合、サーバ１０は、その電力出力装置３０を配電網に接続することを許可しない通知を、端末装置２０に送信する（Ｓ３１１）。
【０１１４】
端末装置２０は、サーバ１０から受信した配電網に接続することを許可する通知又は許可しない通知を、電力出力装置３０に送信する（Ｓ３１２）。
【０１１５】
以上説明した本実施形態によれば、申告内容（自装置の属性情報）が詐称されているような電力出力装置３０を検出し、当該電力出力装置３０を配電網に接続しないようにすることができる。申告内容を詐称しているような電力出力装置３０は、その品質が劣悪であり、指定値通りに電力を出力できない可能性が高い。このような電力出力装置３０が配電網に接続されると、サーバ１０によるデマンドレスポンス等のサービスの質が低下するほか、劣悪な品質の電力出力装置３０により最悪の場合発火や爆発が引き起こされることも考えられる。
【０１１６】
本実施形態によれば、このような電力出力装置３０の配電網への接続を回避することで、上述のようは不都合を軽減できる。
【０１１７】
＜第４の実施形態＞
本実施形態の管理システムは、電力出力装置３０の電力出力性能の評価の一部を、端末装置２０で行う点で、第３の実施形態と異なる。本実施形態の管理システムの全体像は、第１乃至第３の実施形態と同様である。
【０１１８】
図８に、本実施形態の管理システムの機能ブロック図の一例を示す。図示するように、サーバ１０は、入力部１１と、演算部１２と、出力部１３と、記憶部１４とを有する。入力部１１は、データの入力を受付ける。演算部１２は、所定の演算処理を行う。出力部１３は、データを出力する。記憶部１４は、データを記憶する。サーバ１０の各部が行う具体的な処理は、以下の端末装置２０の構成の説明時に適宜行う。
【０１１９】
端末装置２０は、入力部２１と、演算部２２と、出力部２３と、記憶部２４とを有する。入力部２１は、データの入力を受付ける。演算部２２は、所定の演算処理を行う。出力部２３は、データを出力する。記憶部２４は、データを記憶する。入力部２１は、属性情報受信部２５と、出力データ受信部２６とを有する。演算部２２は、評価部２７を有する。出力部２３は、出力条件送信部２８を有する。
【０１２０】
属性情報受信部２５、出力データ受信部２６及び出力条件送信部２８の構成は、第２の実施形態と同様である。
【０１２１】
評価部２７は、属性情報受信部２５が受信した属性情報の真偽を判断する。例えば、評価部２７は、出力データ受信部２６が受信した出力波形データに対して所定の処理を行い、有効電力、無効電力、電圧、周波数、ランプ等の値（測定値）を算出する。すると、出力部２３は、これらの値を処理結果として、サーバ１０に送信する。
【０１２２】
サーバ１０は、送信した出力条件に対応する参照情報（図６参照）を参照し、処理結果が許容範囲内に含まれる電力出力装置３０の識別情報（型名等）を抽出する。例えば、サーバ１０は、図６に示す型名「ＡＢＣ０００１」の電力出力装置３０の許容範囲と処理結果とを用いて、処理結果がこの電力出力装置３０の許容範囲内に含まれるか判断する。含まれると判断した場合、その電力出力装置３０の識別情報を抽出する。サーバ１０は、当該処理を、他の電力出力装置３０に対しても行う。
【０１２３】
なお、ここでの含まれている場合とは、複数の項目全ての測定値が許容範囲内に含まれる場合や、複数の項目の中の所定数以上又は所定割合以上の測定値が許容範囲内に含まれる場合等が考えられる。
【０１２４】
そして、サーバ１０は、抽出した電力出力装置３０の識別情報（型名等）の一覧（照合データ）を、端末装置２０に送信する。
【０１２５】
評価部２７は、電力出力装置３０から受信した属性情報に含まれる電力出力装置３０の識別情報（型名等）が、照合データの中に存在するか判断する。存在する場合、評価部２７は、属性情報受信部２５が受信した属性情報（電力出力装置３０が申告した自装置の属性情報）は真であると判断する。一方、存在しない場合、評価部２７は、属性情報受信部２５が受信した属性情報（電力出力装置３０が申告した自装置の属性情報）は偽であると判断する。
【０１２６】
属性情報が真である場合、出力部２３は、配電網に接続することを許可する通知を電力出力装置３０に行う。一方、属性情報が偽である場合、出力部２３は、配電網に接続することを許可しない通知を電力出力装置３０に行う。
【０１２７】
次に、図１１のシーケンス図を用いて、本実施形態の管理システムの処理の流れの一例を説明する。
【０１２８】
まず、電力出力装置３０は、任意のタイミングで、自装置の属性情報を所定の端末装置２０に送信する（Ｓ４０１）。端末装置２０は、受信した属性情報をサーバ１０に送信する（Ｓ４０２）。
【０１２９】
サーバ１０は、属性情報を受信すると、属性情報の内容に基づき、所定の出力条件を決定する（Ｓ４０３）。例えば、図４及び図５に示す情報に基づき、受信した属性情報に含まれる電力出力装置３０の型名に対応した出力条件を決定する。出力条件では、有効電力、無効電力、電圧、周波数及びランプの中の少なくとも１つの項目の値が指定されている。
【０１３０】
その後、サーバ１０は、決定した出力条件を端末装置２０に送信する（Ｓ４０４）。すると、端末装置２０は、受信した出力条件を電力出力装置３０に送信する（Ｓ４０５）。
【０１３１】
その後、電力出力装置３０は、受信した出力条件に従い、電力出力動作を行う（Ｓ４０６）。端末装置２０は、Ｓ４０６の電力出力動作時の出力を測定し、出力波形データ（交流波形データ）を得る（Ｓ４０７）。次いで、端末装置２０は、受信した出力波形データに対して所定の処理を行い、所定項目の値を算出する（Ｓ４０８）。ここでは、有効電力、無効電力、電圧、周波数及びランプの中の少なくとも１つの項目の測定値が算出される。
【０１３２】
その後、端末装置２０は、算出した値を処理結果として、サーバ１０に送信する（Ｓ４０９）。サーバ１０は、受信した処理結果に基づき、上記照合データ（所定条件を満たす電力出力装置３０の一覧情報）を生成し、端末装置２０に送信する（Ｓ４１０）。
【０１３３】
端末装置２０は、Ｓ４０１で受信した属性情報、及び、Ｓ４１０で受信した照合データに基づき、Ｓ４０１で受信した属性情報の真偽を判断する（Ｓ４１１）。
【０１３４】
Ｓ４１１で属性情報が真であると判断された場合、端末装置２０は、配電網に接続することを許可する通知を、電力出力装置３０に送信する（Ｓ４１２）。一方、Ｓ４１１で属性情報が偽であると判断された場合、端末装置２０は、配電網に接続することを許可しない通知を、電力出力装置３０に送信する（Ｓ４１２）。
【０１３５】
以上、説明した本実施形態によれば、第３の実施形態と同様な作用効果を実現できる。また、本実施形態によれば、サーバ１０と端末装置２０とで、電力出力装置３０の電力出力性能の評価を分担する。このため、サーバ１０に負荷が集中する不都合を軽減できる。
【０１３６】
なお、第１乃至第４の実施形態では、端末装置２０が出力波形データに対して所定の処理を行って有効電力、無効電力、電圧、周波数、ランプ等の値（測定値）を算出し、これらの値を処理結果としてサーバ１０に送信する例を説明した。変形例として、端末装置２０は、出力波形データに対してＡＤ変換（所定の処理）を行い、その結果（デジタル波形データ）をサーバ１０に送信してもよい。そして、サーバ１０が受信したデジタル波形データを解析し、有効電力、無効電力、電圧、周波数、ランプ等の値（測定値）を算出してもよい。
【０１３７】
以下、参考形態の例を付記する。
１．  電力を出力する機能を有する電力出力装置から前記電力出力装置の属性情報を受信する属性情報受信手段と、
前記属性情報に応じて決定された出力条件を前記電力出力装置に送信する出力条件送信手段と、
前記電力出力装置が前記出力条件に従い電力を出力した際の出力波形データに対して所定の処理を行った処理結果を受信する処理結果受信手段と、
前記処理結果及び前記出力条件に基づき、前記電力出力装置の電力出力性能を評価する評価手段と、
を有する制御装置。
２．  １に記載の制御装置において、
前記出力条件では、有効電力、無効電力、電圧、周波数及び所定時間内における電力の変化量の中の少なくとも１つの項目の値が指定されている制御装置。
３．  １又は２に記載の制御装置において、
前記出力波形データは交流波形データであり、
前記処理結果受信手段は、前記交流波形データから算出された有効電力、無効電力、電圧、周波数及び所定時間内における電力の変化量の中の少なくとも１つの測定値を受信する制御装置。
４．  １に記載の制御装置において、
前記評価手段は、前記電力出力装置の電力出力性能に基づいて前記属性情報の真偽を判断する制御装置。
５．  １から４のいずれかに記載の制御装置において、
前記出力条件ごとに、複数の項目各々に対応して出力の許容範囲が定められており、
前記評価手段は、前記出力波形データに基づき算出される前記項目の処理結果が前記許容範囲に入っている否かに基づき前記電力出力装置の電力出力性能を評価する制御装置。
６．  ４に記載の制御装置において、
前記出力条件ごとに、複数の項目各々に対応して出力の指定値が定められており、
前記評価手段は、前記処理結果が前記指定値とどの程度乖離しているかに基づいて信頼度を算出する制御装置。
７．  ６に記載の制御装置において、
前記評価手段は、前記処理結果が前記指定値とどの程度乖離しているかに基づく信頼度の算出を繰り返し行い、前記信頼度の変化に基づいて前記電力出力装置の故障及び劣化の少なくとも一方の判定を行う制御装置。
８．  ６又は７に記載の制御装置において、
前記処理結果と前記指定値に基づく評価結果を出力する出力手段を備える制御装置。
９．  ５に記載の制御装置において、
前記処理結果が前記許容範囲に含まれる前記電力出力装置の識別情報を送信する出力手段を備える制御装置。
１０．  １に記載の制御装置において、
前記属性情報が真であると判断された前記電力出力装置に配電網に接続する許可を通知する制御装置。
１１．  １から１０のいずれかに記載の制御装置を有するサーバ。
１２．  電力を出力する機能を有する電力出力装置から前記電力出力装置の属性情報を受信する属性情報受信手段と、
前記属性情報に応じて決定された出力条件を前記電力出力装置に送信する出力条件送信手段と、
前記電力出力装置が前記出力条件に従い電力を出力した際の出力波形データを受信する出力データ受信手段と、
前記出力条件に基づいて前記出力波形データに対して所定の処理を行った処理結果を送信する出力手段と、を有する端末装置。
１３．  １２に記載の端末装置において、
前記出力条件では、有効電力、無効電力、電圧、周波数及び所定時間内における電力の変化量の中の少なくとも１つの項目の値が指定されている端末装置。
１４．  １３に記載の端末装置において、
前記出力データ受信手段は、出力波形データとして交流波形データを受信し、
前記出力手段は、前記処理結果として有効電力、無効電力、電圧、周波数及び所定時間内における電力の変化量の中の少なくとも１つの項目の測定値を送信する端末装置。
１５．  １３又は１４に記載の端末装置において、
前記出力条件ごとに、複数の項目各々に対応して出力の指定値が定められており、
前記処理結果が前記指定値とどの程度乖離しているかに基づいて信頼度を算出する評価手段を有する端末装置。
１６．  １３又は１４に記載の端末装置において、
前記処理結果が許容範囲内に含まれる前記電力出力装置の識別情報の一覧の中に、前記属性情報に対応する識別情報が含まれているか判断する評価手段を有する端末装置。
１７．  １６に記載の端末装置において、
前記出力手段は、前記属性情報に対応する前記識別情報が前記一覧に含まれている場合、前記電力出力装置に配電網に接続する許可を通知する端末装置。
１８．  １５に記載の端末装置において、
前記出力手段は、前記信頼度に基づいて制御対象の前記電力出力装置における定格出力の合計や、容量の合計を送信する端末装置。
１９．  コンピュータが、
電力を出力する機能を有する電力出力装置から前記電力出力装置の属性情報を受信する属性情報受信工程と、
前記属性情報に応じて決定された出力条件を前記電力出力装置に送信する出力条件送信工程と、
前記電力出力装置が前記出力条件に従い電力を出力した際の出力波形データに対して所定の処理を行った処理結果を受信する処理結果受信工程と、
前記処理結果及び前記出力条件に基づき、前記電力出力装置の電力出力性能を評価する評価工程と、
を実行する評価方法。
２０．  コンピュータが、
電力を出力する機能を有する電力出力装置から前記電力出力装置の属性情報を受信する属性情報受信工程と、
前記属性情報に応じて決定された出力条件を前記電力出力装置に送信する出力条件送信工程と、
前記電力出力装置が前記出力条件に従い電力を出力した際の出力波形データを受信する出力データ受信工程と、
前記出力条件に基づいて前記出力波形データに対して所定の処理を行った処理結果を送信する出力工程と、
を実行する評価方法。
２１．  コンピュータを、
電力を出力する機能を有する電力出力装置から前記電力出力装置の属性情報を受信する属性情報受信手段、
前記属性情報に応じて決定された出力条件を前記電力出力装置に送信する出力条件送信手段、
前記電力出力装置が前記出力条件に従い電力を出力した際の出力波形データに対して所定の処理を行った処理結果を受信する処理結果受信手段、
前記処理結果及び前記出力条件に基づき、前記電力出力装置の電力出力性能を評価する評価手段、
として機能させるプログラム。
２２．  コンピュータを、
電力を出力する機能を有する電力出力装置から前記電力出力装置の属性情報を受信する属性情報受信手段、
前記属性情報に応じて決定された出力条件を前記電力出力装置に送信する出力条件送信手段、
前記電力出力装置が前記出力条件に従い電力を出力した際の出力波形データを受信する出力データ受信手段、
前記出力条件に基づいて前記出力波形データに対して所定の処理を行った処理結果を送信する出力手段、
として機能させるプログラム。
【０１３８】
この出願は、２０１６年３月４日に出願された日本出願特願２０１６−０４２２０１号を基礎とする優先権を主張し、その開示の全てをここに取り込む。
【図１】
2017150139.tif 000003
【図２】
2017150139.tif 000004
【図３】
2017150139.tif 000005
【図４】
2017150139.tif 000006
【図５】
2017150139.tif 000007
【図６】
2017150139.tif 000008
【図７】
2017150139.tif 000009
【図８】
2017150139.tif 000010
【図９】
2017150139.tif 000011
【図１０】
2017150139.tif 000012
【図１１】
2017150139.tif 000013
【国際調査報告】
2017150139.tif 000014
2017150139.tif 000015